(57)【特許請求の範囲】
【請求項１】
作動用電源の供給の他に制御電圧の入力を要する電圧制御型の機器と接続可能であって、該機器に該制御電圧を出力する制御電圧出力装置であって、
ＰＷＭ信号を出力するマイクロコンピュータと、該マイクロコンピュータから該ＰＷＭ信号が出力されている間に該ＰＷＭ信号のＯＮ／ＯＦＦデューティ比に応じて変化する所定レベル以上の直流電圧を前記制御電圧として出力する制御電圧出力回路と、該制御電圧出力回路に回路電源を供給する回路電源供給状態と該制御電圧出力回路への回路電源の供給を遮断する回路電源遮断状態とを切替える回路電源切替回路とを有する制御電圧出力装置において、
前記ＰＷＭ信号がＯＮ期間にある状態と前記制御電圧出力回路から前記所定レベル以上の直流電圧が出力されている状態のうちの少なくともいずれか一方の状態にあるときは、前記回路電源切替回路を前記回路電源供給状態とし、それ以外のときには前記回路電源切替回路を前記回路電源遮断状態とする回路電源切替制御手段を備えたことを特徴とする制御電圧出力装置。
【請求項２】
前記制御電圧出力装置は、前記制御電圧と共に前記機器の作動用電源を供給し、
前記機器に作動用電源を供給する機器電源供給状態と、前記機器への作動用電源の供給を遮断する機器電源遮断状態とを切替える機器電源切替回路と、
前記ＰＷＭ信号がＯＮ期間にある状態と前記制御電圧出力回路から前記所定レベル以上の直流電圧が出力されている状態のうちの少なくともいずれか一方の状態にあるときは、前記機器電源切替回路を前記機器電源供給状態とし、それ以外のときには前記機器電源切替回路を前記機器電源遮断状態とする機器電源切替制御手段とを備えたことを特徴とする請求項１記載の制御電圧出力装置。
【請求項３】
作動用電源の供給の他に制御電圧の入力を要する電圧制御型の機器と接続可能であって、該機器に制御電圧と作動用電源を供給する制御電圧出力装置であって、
ＰＷＭ信号を出力するマイクロコンピュータと、該マイクロコンピュータから該ＰＷＭ信号が出力されている間に該ＰＷＭ信号のＯＮ／ＯＦＦデューティ比に応じて変化する所定レベル以上の直流電圧を前記制御電圧として出力する制御電圧出力回路と、前記機器に作動用電源を供給する機器電源供給状態と前記機器への作動用電源の供給を遮断する機器電源遮断状態とを切替える機器電源切替回路とを備えた制御電圧出力装置において、
前記ＰＷＭ信号がＯＮ期間にある状態と前記制御電圧出力回路から前記所定レベル以上の直流電圧が出力されている状態のうちの少なくともいずれか一方の状態にあるときは、前記機器電源切替回路を前記機器電源供給状態とし、それ以外のときには前記機器電源切替回路を前記機器電源遮断状態とする機器電源切替制御手段を備えたことを特徴とする制御電圧出力装置。
【発明の詳細な説明】
【０００１】
【発明の属する技術分野】
本発明は、電圧制御型の機器と接続されて、該機器に制御電圧を出力する制御電圧出力装置に関する。
【０００２】
【従来の技術】
従来、電圧制御型の機器と接続されて該機器に制御電圧を出力する制御電圧出力装置において、該機器が停止状態にあるときは、前記制御電圧を生成する回路への回路電源の供給を遮断して該回路の省電力を図ったものが知られている。
【０００３】
例えば、図３は、給湯器等に使用されるファンモータ３２に対して、作動用電源Ｖｃｐを供給すると共に回転数を設定する制御電圧Ｖｃｎｔを出力する制御電圧出力装置３１の回路構成を示したものであり、制御電圧出力装置３１は、ファンモータ３２が停止状態にあるときにファンモータ３２に関わる消費電力を抑制するための構成を備えている。
【０００４】
先ず、ファンモータ３２の作動用電源Ｖｃｐは、第１のトランジスタ３９を介して供給され、第１のトランジスタ３９はマイコン３３の出力ポートＯＵＴ２から反転バッファ４０を介して出力される信号によりＯＮ／ＯＦＦされる。
【０００５】
すなわち、出力ポートＯＵＴ２からＨｉｇｈレベル信号が出力されると、反転バッファ４０の出力がＧＮＤレベルとなって第１のトランジスタ３９がＯＮし、ファンモータ３２に作動用電源Ｖｃｐが供給される機器電源供給状態となる。一方、出力ポートＯＵＴ２からＬｏｗレベル信号が出力されると、反転バッファ４０の出力がハイインピーダンス状態となって第１のトランジスタ３９がＯＦＦし、ファンモータ３２への作動用電源Ｖｃｐの供給が遮断される機器電源遮断状態となる。
【０００６】
次に、マイコン３３の出力ポートＯＵＴ１からはファンモータ３２の回転数を制御するための第１のＰＷＭ信号が出力され、該第１のＰＷＭ信号を第１の平滑回路３５で直流化して生成される指令電圧Ｖｓｅｔがファン電圧制御回路３６に入力される。そして、マイコン３３は、図４に示したように、第１のＰＷＭ信号の一定周期ＴにおけるＨｉｇｈレベル信号の出力期間（ＯＮ期間）とＬｏｗレベル信号の出力期間（ＯＦＦ期間）のデューティ比（ＯＮ／ＯＦＦデューティ比）を変更することにより、ファンモータ３２の目標回転数に応じた設定電圧Ｖｓｅｔを生じさせる。
【０００７】
ファン電圧制御回路３６には設定電圧Ｖｓｅｔと共に抵抗分割回路４１により制御電圧Ｖｃｎｔを分圧したフィードバック電圧Ｖｆが入力され、ファン電圧制御回路３６は、両者の差に応じてそのＯＮ／ＯＦＦデューティ比が変化する第２のＰＷＭ信号を出力端子ａから第２のトランジスタ３８のベースに出力する。これにより、第２のトランジスタ３８を介して電圧Ｖｃが間欠的に第２の平滑回路３７の入力端子ｂに入力され、これを直流化して生成された制御電圧Ｖｃｎｔが第２の平滑回路３７の出力端子ｃから出力される。
【０００８】
また、ファンモータ３２の回転数検出信号Ｒｅｖが回転数処理回路３４を介してマイコン３３の入力ポートＩＮ１に入力され、マイコン３３は、回転数検出信号Ｒｅｖから把握されるファンモータ３２の実回転数が目標回転数と一致するように出力ポートＯＵＴ２から出力する第１のＰＷＭ信号のＯＮ／ＯＦＦデューティ比を補正する。
【０００９】
そして、ファン電圧制御回路３６と回転数処理回路３４の回路電源Ｖｃｓは第１のトランジスタ３９を介して供給されるため、第１のトランジスタ３９がＯＮするとこれらの回路に回路電源Ｖｃｓが供給される回路電源供給状態となり、第１のトランジスタ３９がＯＦＦするとこれらの回路への回路電圧の供給が遮断される回路電源遮断状態となる。
【００１０】
このように、制御電圧出力装置３１においては、第１のトランジスタ３９のＯＮ／ＯＦＦを切替えることによって、ファンモータ３２への作動用電源Ｖｃｐとファン電圧制御回路３６及び回転数処理回路３４への回路電源Ｖｃｓの供給と遮断を切替えることができる。
【００１１】
そして、マイコン３３は、ファンモータ３２を作動させるときは出力ポートＯＵＴ２からＨｉｇｈレベル信号を出力して第１のトランジスタ３９をＯＮし、ファンモータ３２の停止中はＯＵＴ２からＬｏｗレベル信号を出力して第１のトランジスタ３９をＯＦＦすることにより、ファンモータ３２が停止中であるときに、ファンモータ３２に内蔵された駆動回路とファン電圧制御回路３６と回転数処理回路３４で消費される電力の低減を図っている。
【００１２】
しかし、制御電圧出力装置３１においては、第１のトランジスタ３９をＯＮ／ＯＦＦするために専用の出力ポートＯＵＴ２を確保する必要がある。また、ファンモータ３２の作動と停止に合わせて出力ポートＯＵＴ２の信号出力をＨｉｇｈレベルとＬｏｗレベルに切替える処理を行なう制御プログラムをマイコン３３に組込む必要がある。そのため、ハード的にもソフト的にも装置の構成が複雑になるという不都合があった。
【００１３】
【発明が解決しようとする課題】
本発明は、上記不都合を解消し、省電力のための構成を簡易に実現することができる制御電圧出力装置を提供することを目的とする。
【００１４】
【課題を解決するための手段】
本発明は、上記目的を達成するためになされたものであり、本発明の第１の態様は、作動用電源の供給の他に制御電圧の入力を要する電圧制御型の機器と接続可能であって、該機器に制御電圧を出力する制御電圧出力装置であって、ＰＷＭ信号を出力するマイクロコンピュータと、該マイクロコンピュータから該ＰＷＭ信号が出力されている間に該ＰＷＭ信号のＯＮ／ＯＦＦデューティ比に応じて変化する所定レベル以上の直流電圧を前記制御電圧として出力する制御電圧出力回路と、該制御電圧出力回路に回路電源を供給する回路電源供給状態と該制御電圧出力回路への回路電源の供給を遮断する回路電源遮断状態とを切替える回路電源切替回路とを有する制御電圧出力装置の改良に関する。
【００１５】
そして、前記ＰＷＭ信号がＯＮ期間にある状態と前記制御電圧出力回路から前記所定レベル以上の直流電圧が出力されている状態のうちの少なくともいずれか一方の状態にあるときは、前記回路電源切替回路を前記回路電源供給状態とし、それ以外のときには前記回路電源切替回路を前記回路電源遮断状態とする回路電源切替制御手段を備えたことを特徴とする。
【００１６】
かかる本発明によれば、詳細は後述するが、前記マイクロコンピュータから前記ＰＷＭ信号の出力が開始されると、ＰＷＭ信号のＯＮ期間中は前記回路電源切替制御手段により前記回路電源切替回路が前記回路電源供給状態となって、前記制御電圧出力回路に回路電源が供給される。そして、前記制御電圧出力回路からは前記ＰＷＭ信号のデューティ比に応じて変化する前記所定レベル以上の前記制御電圧が出力されるため、前記ＰＷＭ信号がＯＦＦ期間に移行しても、該制御電圧は前記所定レベル以上となり、前記回路電源切替制御手段により前記回路電源切替回路は前記回路電源供給状態に保たれる。一方、前記マイクロコンピュータからの前記ＰＷＭ信号の出力が停止すると、前記制御電圧出力回路の出力が低下して前記所定レベルよりも低くなり、前記回路電源切替制御手段により前記回路電源切替回路は前記回路電源遮断状態となって消費電力が低減される。
【００１７】
すなわち、本発明によれば、前記マイクロコンピュータからの前記ＰＷＭ信号の出力の有無に応じて、前記回路電源切替回路の状態が、前記制御電圧出力回路に回路電源が供給される前記回路電源供給状態と前記制御電圧出力回路への回路電源の供給が遮断される前記回路電源遮断状態とに切替わる。そのため、前記マイクロコンピュータは、前記回路電源切替回路の状態（前記回路電源供給状態と前記回路電源遮断状態）を切替えるための出力ポートを備える必要がなく、また、前記機器の作動と停止に応じて該専用の出力ポートから出力する信号のレベルを制御するためのプログラムを備える必要もない。したがって、省電力のための構成を簡易に実現することができる。
【００１８】
また、前記第１の態様において、前記制御電圧出力装置は、前記制御電圧と共に前記機器の作動用電源を供給し、前記機器に作動用電源を供給する機器電源供給状態と、前記機器への作動用電源の供給を遮断する機器電源遮断状態とを切替える機器電源切替回路と、前記ＰＷＭ信号がＯＮ期間にある状態と前記制御電圧出力回路から前記所定レベル以上の直流電圧が出力されている状態のうちの少なくともいずれか一方の状態にあるときは、前記機器電源切替回路を前記機器電源供給状態とし、それ以外のときには前記機器電源切替回路を前記機器電源遮断状態とする機器電源切替制御手段とを備えたことを特徴とする。
【００１９】
かかる本発明によれば、前記マイクロコンピュータからの前記ＰＷＭ信号の出力の有無に応じて、前記機器電源切替回路の状態（前記機器電源供給状態と前記機器電源遮断状態）が切替わる。そのため、前記マイクロコンピュータは、前記機器電源切替回路の状態を切替える制御信号を出力するための出力ポートを持つ必要がなく、また、前記機器の作動と停止に応じて該出力ポートから出力する信号のレベルを制御するためのプログラムを備える必要もない。したがって、省電力のための構成を簡易に実現することができる。
【００２０】
また、本発明の第２の態様は、作動用電源の供給の他に制御電圧の入力を要する電圧制御型の機器と接続可能であって、該機器に制御電圧と作動用電源を供給する制御電圧出力装置であって、ＰＷＭ信号を出力するマイクロコンピュータと、該マイクロコンピュータから該ＰＷＭ信号が出力されている間に該ＰＷＭ信号のＯＮ／ＯＦＦデューティ比に応じて変化する所定レベル以上の直流電圧を前記制御電圧として出力する制御電圧出力回路と、前記機器に作動用電源を供給する機器電源供給状態と前記機器への作動用電源の供給を遮断する機器電源遮断状態とを切替える機器電源切替回路とを備えた制御電圧出力装置の改良に関する。
【００２１】
そして、前記ＰＷＭ信号がＯＮ期間にある状態と前記制御電圧出力回路から前記所定レベル以上の直流電圧が出力されている状態のうちの少なくともいずれか一方の状態にあるときは、前記機器電源切替回路を前記機器電源供給状態とし、それ以外のときには前記機器電源切替回路を前記機器電源遮断状態とする機器電源切替制御手段を備えたことを特徴とする。
【００２２】
かかる本発明によれば、上述した第１の態様と同様に、前記マイクロコンピュータから前記ＰＷＭ信号が出力されると、ＰＷＭ信号のＯＮ期間中は前記機器電源切替制御手段により前記機器電源切替回路が前記機器電源供給状態となって、前記機器に前記作動用電源が供給される。そして、前記制御電圧出力回路からは前記ＰＷＭ信号のデューティ比に応じた前記所定レベル以上の制御電圧が出力されるため、前記ＰＷＭ信号がＯＦＦ期間に移行しても、前記所定レベル以上の前記制御電圧が出力され、前記機器電源切替制御手段により前記機器電源切替回路は前記機器電源供給状態に保たれる。一方、前記マイクロコンピュータからの前記ＰＷＭ信号の出力が停止すると、前記制御電圧出力回路の出力が低下して前記所定レベルよりも低くなり、前記機器電源切替制御手段により前記機器電源切替回路は前記機器電源遮断状態となる。
【００２３】
すなわち、本発明によれば、ＰＷＭ信号の出力の有無に応じて前記機器が接続されたときに、前記機器に前記作動用電源が供給される状態と前記作動用電源の供給が遮断される状態とに切替わる。そのため、前記マイクロコンピュータは、前記機器電源切替回路の状態（前記機器電源供給状態と前記機器電源遮断状態）を切替えるための出力ポートを持つ必要がなく、また、前記機器の作動と停止に応じて該出力ポートから出力する信号のレベルを制御するためのプログラムを備える必要もない。したがって、省電力のための構成を簡易に実現することができる。
【００２４】
【発明の実施の形態】
本発明の実施の形態の一例について、図１及び図２を参照して説明する。図１は本発明の制御電圧出力装置の回路構成図、図２は図１に示した回路のタイミングチャートである。
【００２５】
図１を参照して、本実施の形態の制御電圧出力装置１は、給湯器に備えられたファンモータ２の作動を制御するものであり、制御電圧出力装置１からファンモータ２には、作動用電源Ｖｃｐとファンモータ２の回転数を設定する制御電圧Ｖｃｎｔが供給され、ファンモータ２から制御電圧出力装置１にはファンモータ２の回転数の検出信号Ｒｅｖが出力される。
【００２６】
以下、制御電圧出力装置１の構成と作動について説明する。制御電圧出力装置１は、マイクロコンピュータ３（以下、マイコン３という）により全体の作動が制御される。マイコン３の出力ポートＯＵＴ１は第１の平滑回路５と接続され、出力ポートＯＵＴ１からはファンモータ２の回転数を設定するための第１のＰＷＭ信号が出力される。また、マイコン３の入力ポートＩＮ１には、ファンモータ２から出力される回転数検出信号Ｒｅｖが回転数処理回路４を介して入力され、マイコン３は、該回転数検出信号Ｒｅｖから把握されるファンモータ２の実回転数に応じて、第１のＰＷＭ信号のＯＮ／ＯＦＦデューティ比を補正する。
【００２７】
第１の平滑回路５はファン電圧制御回路６と接続され、マイコン３の出力ポートＯＵＴ１から入力された第１のＰＷＭ信号を直流化して設定電圧Ｖｓｅｔを生成し、該設定電圧Ｖｓｅｔをファン電圧制御回路６に出力する。
【００２８】
ファン電圧制御回路６は、制御電圧Ｖｃｎｔを分圧する抵抗分割回路１５と接続され、該抵抗分圧回路１５により制御電圧Ｖｃｎｔを分圧して生成されるフィードバック電圧Ｖｆを入力する。また、ファン電圧制御回路６の出力端子ａは第２のトランジスタ８のベースと接続され、ファン電圧制御回路６は、第１の平滑回路５から入力した設定電圧Ｖｓｅｔと抵抗分割回路１５から入力したフィードバック電圧Ｖｆとの差に応じてそのＯＮ／ＯＦＦデューティ比が変化する第２のＰＷＭ信号を第２のトランジスタ８のベースに入力する。
【００２９】
第２の平滑回路７の入力端子ｂは第２のトランジスタ８のコレクタと接続され、ファン電圧制御回路６から入力されるＰＷＭ信号によりＯＮ／ＯＦＦする第２のトランジスタ８を介して電圧Ｖｃが断続的に入力される。そして、第２の平滑回路７は断続的に入力される電圧Ｖｃを直流化して生成した制御電圧Ｖｃｎｔを出力端子ｃから出力する。
【００３０】
なお、第１の平滑回路５、ファン電圧制御回路６、第２の平滑回路７、及び第２のトランジスタ８により、本発明の制御電圧出力回路が構成される。
【００３１】
次に、ファン電圧制御回路６と回転数処理回路４の回路電源Ｖｃｓは、第１のトランジスタ９（本発明の回路電源切替回路及び機器電源切替回路に相当する）を介して供給される。また、ファンモータ２の作動用電源Ｖｃｐも第１のトランジスタ９を介して供給される。
【００３２】
そして、制御電圧出力装置１においては、ファンモータ２を作動させるときにのみ第１のトランジスタ９をＯＮ状態とし、ファンモータ２の停止中は第２のトランジスタ９をＯＦＦ状態とする。これにより、ファンモータ２が停止状態にあるときには、ファン電圧制御回路６と回転数処理回路４に回路電源Ｖｃｓが供給されないようにし、また、ファンモータ２に作動用電源Ｖｃｐが供給されないようにして、省電力化を図っている。
【００３３】
電源切替制御回路１０（本発明の回路電源切替制御手段及び機器電源切替制御手段に相当する）は、このようにファンモータ２の作動に応じて第１のトランジスタ９をＯＮ／ＯＦＦさせるための回路である。電源切替制御回路１０は、２つのオープンコレクタ型の反転バッファ１１，１２をＯＲ接続して構成されている。反転バッファ１１，１２は、Ｈｉｇｈレベル信号が入力されたときはＯＮして出力がＧＮＤレベルとなり、Ｌｏｗレベル信号が入力されたときにはＯＦＦして出力がハイインピーダンス状態となる。
【００３４】
そのため、反転バッファ１１と１２のうちの少なくともいずれか一方にＨｉｇｈレベル信号が入力されると、第１のトランジスタ９のベースがＧＮＤに導通して第１のトランジスタ９がＯＮ状態となる。
【００３５】
そして、反転バッファ１１の入力端子はマイコン３の出力ポートＯＵＴ１と接続されて第１のＰＷＭ信号が入力され、反転バッファ１２の入力端子は第２の平滑回路７の出力端子ｃと接続されて制御電圧Ｖｃｎｔが入力される。そのため、ＰＷＭ信号がＯＮ期間（出力ポートＯＵＴ１からＨｉｇｈレベル信号が出力される期間）にあるとき、制御電圧Ｖｃｎｔが反転バッファ１２がＯＮする閾値Ｖｔ以上であるとき、及びＰＷＭ信号がＯＮ期間にあり且つ制御電圧Ｖｃｎｔが前記閾値Ｖｔ以上であるときに、第１のトランジスタ９がＯＮすることになる。
【００３６】
そこで、マイコン３は、制御電圧Ｖｃｎｔが閾値Ｖｔ以上となる範囲で第１のＰＷＭ信号のＯＮ／ＯＦＦデューティ比を変更してファンモータ２の回転数を制御し、これにより、図２に示したように第１のＰＷＭ信号が出力されている間は、反転バッファ１２が常時ＯＮ状態となるようにしている。
【００３７】
図２を参照して、電源切替制御回路１０の作動を詳説すると、先ず、マイコン３の出力ポートＯＵＴ１から第１のＰＷＭ信号の出力が開始されると（図中ｔ０）、反転バッファ１１がＯＮして第１のトランジスタ９がＯＮし、ファン電圧制御回路６と回転数処理回路４に回路電源Ｖｃｓが供給されると共に、ファンモータ２に作動用電源Ｖｃｐが供給される。
【００３８】
そして、ファン電圧制御回路６が作動を開始して、ファン電圧制御回路６から第２のトランジスタ８のベースに第２のＰＷＭ信号が出力され、該第２のＰＷＭ信号により第２の平滑回路７の第２のコンデンサ１３が充電されて、第２の平滑回路７から出力される制御電圧Ｖｃｎｔが徐々に上昇する。
【００３９】
第１のＰＷＭ信号がＯＦＦ期間に移行すると（図中ｔ１）、反転バッファ１１はＯＦＦするが、第１のトランジスタ９のコレクタとＧＮＤ間に挿入された第１のコンデンサ１４に充電された電荷によりファン電圧制御回路６には継続して回路電源Ｖｃｓが供給され、制御電圧Ｖｃｎｔは上昇を続ける。そして、制御電圧Ｖｃｎｔのレベルが反転バッファ１２の閾値Ｖｔ以上となった時点（図中ｔ２）で、反転バッファ１２がＯＮする。
【００４０】
このようにして、一旦反転バッファ１２がＯＮすると、第１のＰＷＭ信号のデューティ比は、上述したように制御電圧Ｖｃｎｔが反転バッファ１２の閾値Ｖｔ以上となる範囲で設定されるため、反転バッファ１２は常時ＯＮとなる。これにより、第１のＰＷＭ信号が出力されている間は第１のトランジスタ９が常時ＯＮとなり、ファン電圧制御回路６と回転数処理回路４に回路電源が供給された状態（本発明の回路電源供給状態に相当する）となる。また、ファンモータ２には作動用電源Ｖｃｐが供給された状態（本発明の機器電源供給状態）となる。これにより、ファンモータ２は、第１のＰＷＭ信号で設定される回転数で回転を継続する。
【００４１】
そして、マイコン３の出力ポートＯＵＴ１からの第１のＰＷＭ信号の出力が停止すると（図中ｔ３）、ファン電圧制御回路６からのパルス信号の出力が停止して、第２の平滑回路７から出力される制御電圧Ｖｃｎｔのレベルが次第に低下する。その結果、制御電圧Ｖｃｎｔが反転バッファ１２の閾値Ｖｔよりも低くなると（図中ｔ４）、反転バッファ１２がＯＦＦし、それに応じて第１のトランジスタ９がＯＦＦする。これにより、ファン電圧制御回路６及び回転数処理回路４への回路電源Ｖｃｓの供給が遮断され（本発明の回路電源遮断状態に相当する）、また、ファンモータ２への作動用電源Ｖｃｐの供給も遮断される（本発明の機器電源遮断状態に相当する）。
【００４２】
以上説明したように、制御電圧出力装置１においては、マイコン３の出力ポートＯＵＴ１からの第１のＰＷＭ信号の出力の有無に応じて、ファン電圧制御回路６と回転数処理回路４に回路電源Ｖｃｓが供給された状態と遮断された状態とが切替わると共に、ファンモータ２に作動用電源Ｖｃｐが供給された状態と遮断された状態とが切替わる。
【００４３】
したがって、マイコン３に第１のトランジスタ９をＯＮ／ＯＦＦするための出力ポートを設けたり、該出力ポートからの信号出力を切替えるプログラムを備えることなく、簡易に省電力化のための構成を実現することができる。
【００４４】
なお、本実施の形態においては、ファン電圧制御回路６と回転数処理回路４への回路電源Ｖｃｓの供給と遮断の切替と、ファンモータ２に対する作動用電源の供給と停止の切替の双方を行なったが、いずれか一方のみを行なう場合であっても本発明の利益を得ることができる。
【００４５】
また、本実施の形態においては、電源切替制御回路１０と第１のトランジスタ９により、ファン電圧制御回路６と回転数制御回路４の回路電源Ｖｃｓとファンモータ２の作動用電源Ｖｃｐの双方の供給と遮断を切替えたが、回路電源Ｖｃｓと作動用電源Ｖｃｐに対して別個に電源切替制御回路とトランジスタを設けてもよい。
【００４６】
また、第１のＰＷＭ信号の周期Ｔが短い場合には、第２のコンデンサ１３の容量を大きくすることにより、第１のＰＷＭ信号の出力中に制御電圧Ｖｃｎｔが安定して反転バッファ１２の閾値Ｖｔ以上に保たれるようにしてもよい。
【００４７】
また、第１のＰＷＭ信号の出力開始時に、第２バッファ１２がＯＮするまで第１のＰＷＭ信号のＯＮ／ＯＦＦデューティ比を１００％とすることにより、第２のコンデンサ１３の充電を速やかに行ない、第２のコンデンサ１３の出力電圧（＝制御電圧Ｖｃｎｔ）が反転バッファ１２の閾値Ｖｔ以上となるまでの立ち上がり時間を短縮するようにしてもよい。
【図面の簡単な説明】
【図１】本発明の制御電圧出力装置の回路構成図。
【図２】図１に示した回路のタイミングチャート。
【図３】従来の制御電圧出力装置の回路構成図。
【図４】図３に示した回路のタイミングチャート。
【符号の説明】
１…制御電圧出力装置、２…ファンモータ、３…マイクロコンピュータ、５…第１の平滑回路、６…ファン電圧制御回路、７…第２の平滑回路、１０…電源切替制御回路
【図１】
0003623908.tif 000002
【図２】
0003623908.tif 000003
【図３】
0003623908.tif 000004
【図４】
0003623908.tif 000005